(57)【特許請求の範囲】
【請求項１】
容器に通じる開口部が形成されたアダプタを有し、２枚のフィルムを合わせて形成されたフランジをアダプタに固定すると共に、２枚のフィルムそれぞれに、２つのサイドシール部の間を横断する折り曲げ線を設けることで、２枚のフィルムの折り曲げ線からフランジに至る部分とアダプタの開口部との間に空間を形成し、当該空間を注出口に通じさせる通路を、空間の圧力によって開放される、フィルム密着部分としたことを特徴とする、フィルム注出栓。
【請求項２】
請求項１において、折り曲げ線は、２つのサイドシール部の間を注出口に向かって凸となるように湾曲して横断するものであることを特徴とする、フィルム注出栓。
【請求項３】
請求項１又は２において、前記通路の先端に、切断予定部を介して封止部を一体に連結したことを特徴とする、フィルム注出栓。
【請求項４】
請求項１乃至３のいずれか１項において、アダプタは、変形及び復元の可能なフランジ部を有し、その上端面に、２つのフィルムによるフランジを固定するものであることを特徴とする、フィルム注出栓。
【発明の詳細な説明】
【技術分野】
【０００１】
本発明は、容器内の密封状態を維持しつつ、内溶液の注出が可能なフィルム注出栓に関するものである。
【背景技術】
【０００２】
従来、２枚のフィルムを貼り合せることで、注出口を形成するものとしては、スタンディングパウチの注口部がある（例えば、特許文献１参照）。
【先行技術文献】
【特許文献】
【０００３】
【特許文献１】特開２００９−２９５２０号公報
【発明の概要】
【発明が解決しようとする課題】
【０００４】
しかしながら、上述の注口部は、フィルムに張りがないことから、フィルムに補強用のビード部を形成することで、注出口の膨らみ形状を安定させるようにしている。このため、こうした注口部構造では、容器に外気が進入することで、内容物の鮮度（品質）を長期に保証できないことが考慮される。
【０００５】
本発明の目的とするところは、容器内の密封状態を維持しつつ、内溶液の注出が可能なフィルム注出栓を提供することにある。
【課題を解決するための手段】
【０００６】
本発明のフィルム注出栓は、容器に通じる開口部が形成されたアダプタを有し、２枚のフィルムを合わせて形成されたフランジをアダプタに固定すると共に、２枚のフィルムそれぞれに、２つのサイドシール部の間を横断する折り曲げ線を設けることで、２枚のフィルムの折り曲げ線からフランジに至る部分とアダプタの開口部との間に空間を形成し、当該空間を注出口に通じさせる通路を、空間の圧力によって開放される、フィルム密着部分としたことを特徴とするものである。
【０００７】
折り曲げ線は、２つのサイドシール部の間を注出口に向かって凸となるように湾曲して横断するものであることが好ましい。
【０００８】
本発明では、前記注出口に、切断予定部を介して封止部を一体に連結することが好ましい。
【０００９】
また、本発明に従えば、アダプタは、変形及び復元の可能なフランジ部を有し、その上端面に、２つのフィルムによるフランジを固定するものとすることもできる。
【発明の効果】
【００１０】
本発明によれば、２枚のフィルムの折り曲げ線からフランジに至る部分とアダプタの開口部との間に形成された空間の内部圧力が所定の圧力まで上昇しないと、容器内の密封状態は維持される。
【００１１】
これに対し、容器の内部圧力が上昇する等して、２枚のフィルムの折り曲げ線からフランジに至る部分とアダプタの開口部との間に形成された空間の内部圧力が上昇すると、フィルム密着部分は、フィルムが離間することで、注出口を開放するため、充填空間からの内溶液を取り出すことができる。即ち、フィルム密着部分は、逆止弁として機能する。
【００１２】
従って、本発明によれば、容器内の密封状態を維持しつつ、内溶液の注出が可能なフィルム注出栓を提供することができる。また、本発明によれば、アダプタを備えることで、様々な容器に適用可能である。
【図面の簡単な説明】
【００１３】
【図１】本発明のフィルム注出栓の第１の形態を示す斜視図である。
【図２】同形態のフィルム注出栓に適用可能な剥離容器の一例を一部断面で示す正面図である。
【図３】(a)は、同形態のフィルム注出栓を、剥離容器の口部に装着した状態で、サイドシール面を断面として示す縦断面図であり、(b)は、同形態のフィルム注出栓を、同容器の口部に装着した状態で、フィルムの合わせ面に対して直交する面を断面として示す縦断面図である。
【図４】(a)は、同形態のフィルム注出栓から封止部を取り外して、注出口から内溶液を取り出す前の状態を示す要部斜視図であり、(b)は、封止部を取り外して、注出口から内溶液を取り出すときの状態を示す要部斜視図である。
【図５】(a)は、同形態のフィルム注出栓を、他の剥離容器の口部に装着した状態で、サイドシール面を断面として示す縦断面図であり、(b)は、同形態のフィルム注出栓を、同容器の口部に装着した状態で、フィルムの合わせ面に対して直交する面を断面として示す縦断面図である。
【図６】本発明のフィルム注出栓の第２の形態を示す斜視図である。
【図７】同形態のフィルム注出栓を、パウチ容器のスパウトに装着した状態で、一部フィルムの合わせ面を断面として示す縦断面図である。
【図８】同形態のフィルム注出栓を、同スパウトに装着した状態で、一部フィルムの合わせ面に対して直交する面を断面として示す縦断面図である。
【発明を実施するための形態】
【００１４】
以下、図面を参照して、本発明の様々な形態を詳細に説明する。
【００１５】
図１には、本発明の第１の形態である、フィルム注出栓１を示す。図２は、フィルム注出栓１を装着可能な剥離容器（デラミネーション容器）１００を示す。
【００１６】
剥離容器１００は、図２に示すように、内層体１０１と外層体１０２とからなる。内層体１０１は、口部１０１ａと共に薄肉の胴部１０１ｂ及び底部１０１ｃが一体に成形された変形可能な薄肉（例えば、袋状）のボトル形容器である。内層体１０１は、その内側に、口部１０１ａを通して外界に通じる内容液の充填空間Ｓ1が形成されている。
【００１７】
一方、外層体１０２も、口部１０２ａ、胴部１０２ｂおよび底部１０２ｃが一体に成形されたボトル形の容器である。外層体１０２の内側には、図１の実線で示すように、内層体１０１が密着した状態で配置されている。外層体１０２の口部１０２ａには、内層体１０１の口部１０１ａが一体に連結されている。これにより、内層体１０１は、外層体１０２の内側に剥離可能に連結されている。
【００１８】
更に、内層体１０１の底部１０１ｃは、外層体１０２の底部１０２ｃで挟持されている。これにより、外層体１０２の底部１０２ｃが内層体１０１の底部１０１ｃから予め離間させることで、当該底部１０１ｃとの間に開口部が形成されると、この開口部を通して、内層体１０１と外層体１０２との間に外気が導入される。この結果、内層体１０１は、図２の二点鎖線で示すように、外層体１０２から剥離させることができる。
【００１９】
これに対し、フィルム注出栓１は、図３に示すように、内層体口部１０１aと外層体口部１０２ａに装着されるアダプタ２を有する。アダプタ２は、同図に示すように、内層体１０１の充填空間Ｓ1に通じる開口部Ａ1を形作る環状壁部３を有する。この環状壁部３の外縁からは、外筒部４が一体に垂下する。外筒部４の内周面には、外層体口部１０２ａに設けられた外周突条１０２ｐに引っ掛かって係止される内周突条４ｐが設けられている。加えて、外筒部４の内側には、内筒部５が一体に垂下する。内筒部５の外周面は、内層体口部１０１ａをシールする。これにより、アダプタ２は、内筒部５と外筒部４との間で内層体口部１０１ａ及び外層体口部１０２ａを挟持することで、充填空間Ｓ1を密封した状態に嵌合保持されている。
【００２０】
アダプタ２の環状壁部３は、開口部Ａ1を取り囲む環状の上端面３ｆを有する。上端面３ｆには、図３(b)に示すように、２枚のフィルム６，７を合わせて形成されたフランジ８を接着等により固定する。フランジ８は、図１に示すように、フィルム６に形成された半周のフランジ６ａと、フィルム７に形成された半周のフランジ７ａとからなる。
【００２１】
図３(a)は、フィルム６を合わせ面側から示す。フィルム６には、例えば、図３(a)に示すように、ホットシール等によって接着される、２つのサイドシール部１１，１２を形作るサイドシール面６ｓ1，６ｓ2の間に、これらを横断するように、折り曲げ線Ｌが設けられている。これにより、フィルム６には、図３(b)に示すように、フランジ６ａの内縁６ｅから折り曲げ線Ｌに至るまでの間が膨隆部６ｄとして形作られる。なお、フィルム７もフィルム６と同様の形状を有し、互いに対称な形状としてなる。このため、フィルム７のみの形状については図示を省略するが、フィルム７にも、フィルム６と同様、図３(b)に示すような、フランジ７ａの内縁７ｅから折り曲げ線Ｌに至るまでの間が膨隆部７ｄとして形作られる。
【００２２】
また、フィルム６，７の折り曲げ線Ｌはそれぞれ、図３(b)に示すように、互いに向かい合うように設けられている。従って、同図に示すように、フィルム６，７を合わせて形成されたフランジ８をアダプタ１の上端面３ｆに固定することで、フィルム６，７の折り曲げ線Ｌからフランジ６ａ，７ａに至る部分とアダプタ１との間には、開口部Ａ1を通して充填空間Ｓ1に通じる、空間Ｓ2が形成される。
【００２３】
更に、フィルム６，７には、折り曲げ線Ｌが設けられていることで、折り曲げ線Ｌよりも後述の切断予定部Ｃ側は、図３(b)に示すように、平坦部６Ｌ，７Ｌを構成する。これにより、例えば、図３(a)に示すように、フィルム６の平坦部６Ｌは、２つのサイドシール面６ｓ1，６ｓ2の間が、当該サイドシール面６ｓ1，６ｓ2と同一面をなす密着面６ｆに形作られる。これは、フィルム７についても同様で、折り曲げ線Ｌが設けられていることで、２つのサイドシール面７ｓ1，７ｓ2（図示省略）の間は、サイドシール面７ｓ1，７ｓ2と同一面をなす密着面７ｆが形作られる。
【００２４】
従って、平坦部６Ｌ，７Ｌは、図３(b)に示すように、サイドシール部１１，１２を除く部分では、２枚のフィルム６，７が、接着することなく密着するフィルム密着部分としてなる。即ち、サイドシール部１１，１２の間は、平坦部６Ｌ，７Ｌが密着することで密封されると共に、空間Ｓ2の内部圧力の上昇によって開放される空間Ｓ2を外界に通じさせる通路１３を形成する。
【００２５】
平坦部６Ｌは更に、図３(a)に示すように、サイドシール面６ｓ1，６ｓ2を繋ぐサイドシール面６ｓ3を有し、このサイドシール面６ｓ3が、例えば、薄肉に構成された切断予定部Ｃを介して一体に連結される、把持部付きの封止部１４の外観形状を形作る。これは、フィルム７についても同様で、サイドシール面７ｓ1，７ｓ2を繋ぐサイドシール面７ｓ3（図示省略）を有し、このサイドシール面７ｓ3が、把持部付きの封止部１４の外観形状を形作る。
【００２６】
このため、サイドシール面６ｓ3，７ｓ3を結合させると、把持部付きの封止部１４が形成される。従って、２枚のフィルム６，７をヒートシール等で接着後、封止部１４を切断予定部Ｃに沿って切断すれば、この切断面がサイドシール部１１，１２の間に形作られた通路１３の注出口Ａ0となる。
【００２７】
上述のとおり、本実施形態では、２枚のフィルム６，７を合わせて形成されたフランジ８をアダプタ２に固定すると共に、当該フィルム６，７それぞれに、２つのサイドシール部１１，１２の間を横断する折り曲げ線Ｌを設けることで、２枚のフィルム６，７の折り曲げ線Ｌからフランジ８に至る部分とアダプタ２の開口部Ａ1との間に空間Ｓ2を形成し、当該空間Ｓ2を注出口Ａ0に通じさせる通路１３を、空間Ｓ2の圧力によって開放される、フィルム密着部分とするように構成される。このため、封止部１４を取り除いた後も、図４(a)に示すように、フィルム６，７とアダプタ２との間に形成された空間Ｓ2の内部圧力が所定の圧力まで上昇しないと、充填空間Ｓ1内の密封状態は維持される。
【００２８】
これに対し、充填空間Ｓ1の内部圧力が上昇する等して、フィルム６，７とアダプタ２との間に形成された空間Ｓ2の内部圧力が上昇すると、図４(b)に示すように、フィルム密着部分１３は、フィルム６，７が離間することで、注出口Ａ0を開放するため、充填空間Ｓ1からの内溶液を取り出すことができる。即ち、フィルム密着部分１３は、逆止弁として機能する。また、こうしたフィルム密着部分１３によれば、内容液の注出後、密着面６ｆ，７ｆ間に付着した内容液の表面張力によっても、密着面６ｆ，７ｆ間の密封を確実なものにできる。
【００２９】
従って、本発明によれば、充填空間Ｓ1内の密封状態を維持しつつ、内溶液の注出が可能なフィルム注出栓を提供することができる。
【００３０】
また、本形態では、折り曲げ線Ｌは、図３等に示すように、２つのサイドシール部１１，１２の間を、注出口（切断予定部Ｃ）Ａ0に向かって凸となるように湾曲して横断する。これは、フィルム７についても同様である。かかる構成によれば、空間Ｓ2の内部圧力の上昇に伴う通路１３の開放をスムーズに行うことができる。
【００３１】
更に、本発明に従えば、本形態の如く、注出口Ａ0に、切断予定部Ｃを介して封止部１４を一体に連結することができる。
【００３２】
また、本発明に係る、フィルム注出栓１は、アダプタ２を備えることで、様々な容器に適用可能である。
【００３３】
図５は、フィルム注出栓１を、他の剥離容器１００に採用したものである。
【００３４】
本形態では、内層体１０１の剥離を促進させるための、外気導入孔Ａ3が、外層体底部１０２ｃに替えて外層体口部１０２ａに形成されている。また、外層体口部１０２ａにはねじ部１０２ａが形成されている。このため、本形態では、コネクタ１６を介して、フィルム注出栓１を装着している。コネクタ１６は、外層体口部１０２ａのねじ部１０２ａに螺合するねじ部１６ｓが形成されている。また、アダプタ２の外周部４と内周部５との嵌合する１６ｐを有し、その内側に開口部Ａ1が形成されている。なお、図１〜４と同一の部分は、同一符号をもって、その説明を省略する。
【００３５】
図６には、本発明の第２の形態である、フィルム注出栓２０を示す。また、図７，８はそれぞれ、フィルム注出栓２１を、パウチ容器３０のスパウト２００に装着した状態を示す。
【００３６】
フィルム注出栓２０では、アダプタ２の環状壁部３の外縁が外筒部４よりも外側に突出することにより、フランジとして構成されている。この場合、環状壁部３を、例えば、樹脂原料の選択によって、変形及び復元の可能なフランジとして機能させれば、注出口Ａ0（通路１３）の開放動作及び密封動作と同期させることで、スムーズな密封・開放動作が可能となる。
【００３７】
なお、スパウト２００は、パウチ容器３０のシール部３１に一体にシール固定されている。スパウト２００は、開口部Ａ5を通してパウチ容器３０の充填空間Ｓ1を外界に通じさせる。本形態では、内周突条４ｐがスパウト２００の口部２０１に設けた外周突条２０１ｐに引っ掛かることで係止されるとともに、内筒部５の外周面が外筒部４と共に、口部２０１を挟持することで、充填空間Ｓ1を密封した状態に保持する。
【００３８】
上述したところは、本発明の様々な形態を例示したにすぎず、本発明に従えば、種々の変更を加えることができる。例えば、フィルム６，７の材質及び厚さについては、フィルム６，７を変形させることができるものであれば、様々なものを採用できる。また、アダプタ２は、剥離容器等に嵌合保持されるものに限定されることはなく、例えば、螺合によって保持される構成等、様々な構成を採用することができる。更に、各形態に記載の構成はそれぞれ、適宜、組み合わせることができる。
【産業上の利用可能性】
【００３９】
本発明のフィルム注出栓は、剥離容器やパウチ容器に限定されることなく、単層の容器等、アダプタを装着させることができる構成のものであれば、様々な容器に適用できる。
【符号の説明】
【００４０】
１    フィルム注出栓（第１の形態）
２    アダプタ
６    フィルム
７    フィルム
８    フランジ
１１  サイドシール部
１２  サイドシール部
１３  注出通路
１４  封止部
Ｌ    折り曲げ線
Ｓ2   空間
【図１】
0005642506.tif 000002
【図２】
0005642506.tif 000003
【図３】
0005642506.tif 000004
【図４】
0005642506.tif 000005
【図５】
0005642506.tif 000006
【図６】
0005642506.tif 000007
【図７】
0005642506.tif 000008
【図８】
0005642506.tif 000009